(57)【特許請求の範囲】
【請求項１】
砥粒と該砥粒を結合した結合剤とからなり加工面が球面形状に形成された砥石を、前記砥石の回転軸と自らの回転軸を交差させ、前記砥石と自らを各々回転させながら面接触させて、ツルーイングおよびドレッシングを同時にするための中空円筒形状のカップ型ドレッサであって、
前記砥石の砥粒と同径もしくは前記砥石の砥粒よりも小径であり、前記砥石の砥粒よりも破砕性が高く、前記砥石の砥粒より低硬度で、前記砥石の結合剤よりも硬い砥粒を、前記砥石の砥粒保持力よりも弱い保持力で結合したことを特徴とするカップ型ドレッサ。
【請求項２】
請求項1記載のカップ型ドレッサにおいて、前記カップ型ドレッサの結合剤と前記砥石の結合剤とで、結合力の異なる結合剤を用いること、結合剤率を異ならせること、結合剤の破砕性を異ならせることの少なくとも一つの手段により、前記カップ型ドレッサの砥粒保持力を前記砥石の砥粒保持力よりも弱い保持力としたことを特徴とするカップ型ドレッサ。
【請求項３】
請求項１又は請求項２記載のカップ型ドレッサを用いた、砥石のツルーイングおよびドレッシングを同時にするツルーイング・ドレッシング方法であって、
前記砥石と前記カップ型ドレッサとを回転させながら面接触させ、
前記砥石の砥粒を前記カップ型ドレッサの砥粒で摩耗させることで前記砥石を球面形状に成形し、
前記砥石と前記カップ型ドレッサと接触界面にて、前記砥石との接触負荷によって前記カップ型ドレッサの砥粒を脱落させ、脱落した砥粒により前記砥石の結合剤を除去することを特徴とするツルーイング・ドレッシング方法。
【発明の詳細な説明】
【技術分野】
【０００１】
本発明は、砥粒を結合剤で結合した構成であり加工面を球面形状に形成された砥石をツルーイングおよびドレッシングするためのカップ型ドレッサ、及びそのカップ型ドレッサを用いたツルーイング・ドレッシング方法に関するものである。
【背景技術】
【０００２】
従来、砥石の加工面を球面形状に成形し、その成形された砥石でワークを研削加工する研削装置として、特許文献１や特許文献２に開示されたものがある。
【０００３】
この従来の研削装置を図５〜図７に基づいて説明する。図５において、成形される砥石１２２は、砥石ヘッド１２８に回転可能に保持されている。この砥石ヘッド１２８は、サーボモータ１２５，１２９により鉛直方向（Ｙ軸方向）および水平方向（Ｚ軸方向）に移動可能となっている。一方、砥石１２２を球面形状にツルーイング（加工）する中空円筒状（以下、カップ形状と称する）のツルア１１３は、ワーク支持部１０７と並列的に設けられたツルア軸１１１に回転可能に保持されている。また、ツルア１１３は、その先端部を砥石１２２に向けてＺ軸と平行に配設されており、ツルア１１３の回転軸と砥石１２２の回転軸とが直交するようになっている。そして、ツルア軸１１１は、図示しないサーボモータによりＹ軸方向およびＺ軸方向に対して垂直な方向のＸ軸方向に移動可能となっている。
【０００４】
次に、上記研削装置を用いて、砥石１２２の加工面１３４を球面形状にツルーイング及びドレッシングする方法を図６及び図７に基づいて説明する。まず、図６を用いて、ツルーイングについて説明する。砥石１２２をＹ軸方向に移動させると共にツルア１１３をＸ軸方向に移動させ、ツルア１１３の回転軸と砥石１２２の回転軸とを直交させるようにする。次に、砥石１２２とツルア１１３を回転駆動させる。その後、砥石１２２をＺ軸方向に移動させ、砥石１２２の回転中心がツルア１１３の回転軸に沿ってこの回転軸上を移動するように切込送り制御する。これにより、ツルア１１３の開口端内周の円周縁１２１が砥石１２２の加工面（外周面）１３４に線接触し、砥石１２２の加工面１３４が球面形状にツルーイングされる。その結果、砥石１２２の加工面１３４は、曲率半径Ｒ（図６参照）の球面形状に成形される。
【０００５】
ここで、ワークとしてガラスレンズやその金型の場合には、光学面としてナノメートルオーダーの厳しい表面粗さが要求されるため、微粒のダイヤモンド砥粒１３２からなる研削砥石１２２（例えば砥粒径５μｍ）が用いられる。この研削砥石１２２を効率良く球面形状にツルーイングするためには、それより大きなダイヤモンド砥粒（例えば７５μｍ）からなるカップ型ツルア１１３が採用される。ツルーイング作業では、研削砥石１２２のボンド１３３（例えばレジンボンド）と微粒のダイヤモンド砥粒１３２が同時に削られながら球面に成形される。その結果、微粒のダイヤモンド砥粒１３２はボンド面と同じ高さで平らな面となり、ダイヤモンド砥粒１３２が研削砥石１２２の表面から充分に突き出した状態にならない（図６（ｄ））。従って、この研削砥石１２２を用いてワークを加工しても、砥石１２２の砥粒１３２がワークに充分切込み作用をしないため、高精度な加工を行うことができず、また、効率良く加工できない。
このため、特許文献２では、上記ツルーイングを行った後に、研削砥石１２２の表面からダイヤモンド砥粒１３２を突き出すいわゆる目立てを行うためのドレッシングが行われる。
【０００６】
次に、図７を用いてドレッシングについて説明する。
ツルーイングが終了したら、ツルア１１３の回転速度をツルーイング工程のときよりも低速（例えば回転速度１００ｍｉｎ−１）に設定し、砥石１２２の回転速度もツルーイング工程のときよりも低速に設定する。その後、砥石１２２の加工面１３４とツルア１１３の円周縁１２１との間にノズル１４０から砥石ドレッシング用のスラリ（遊離砥粒＋水）１４１を供給する。この砥石１２２の加工面１３４とツルア１１３の円周縁１２１との間に介在したスラリ１４１によって、砥石１２２を構成する結合剤としてのボンド１３３が選択的に除去されるため、ツルーイングされた球面形状の精度を崩すことなく、砥粒１３２をボンド１３３の表面から突き出させる、いわゆる砥石１２２の目立て（ドレッシング）が行われる（図７（ｄ）参照）。
【先行技術文献】
【特許文献】
【０００７】
【特許文献１】特開平７−２９９７４６号公報
【特許文献２】特開２００１−２６００２３号公報
【発明の概要】
【発明が解決しようとする課題】
【０００８】
しかしながら、上述したようなツルーイングおよびドレッシング方法では、ドレッシング後の砥石１２２の加工面１３４にはツルーイングによって磨耗したりあるいは亀裂を生じたりした砥粒切れ刃が残留した状態となる。このため、そのような加工面１３４で研削を行うと、切れ味が悪く大きな研削抵抗を生じ、研削後の研削面の面性状も悪くなるという課題があった。また、この課題に対して、ドレッシング後にいわゆる捨て研を行いツルーイングで摩滅あるいは破砕した砥粒を脱落させることにより切れ味を回復するという方法も採られ得るが、この場合は折角ツルーイングによって成形した形状精度が損なわれるという欠点があった。
また、ドレッシングの際にスラリ（遊離砥粒）１４１を供給するためのスラリ供給系を設けねばならず、研削装置が複雑化してしまうという問題があった。
さらに、砥石１２２の加工面１３４とツルア１１３の円周縁１２１とは密接しているため、その間にノズル１４０からスラリ１４１を良好に供給することが困難であるという問題もあった。
本発明は上記課題を解決し、簡易的な構成で、加工面が良好にドレッシングされた高精度な球面形状砥石を得ることを目的とする。また、ツルーイングにより砥粒に破砕や亀裂などの損傷を与えることなく、ツルーイングとドレッシングとを同時に行うことを目的とする。
【課題を解決するための手段】
【０００９】
上記課題を解決する本発明の請求項１記載のカップ型ドレッサは、砥粒と該砥粒を結合した結合剤とからなり加工面が球面形状に形成された砥石を、前記砥石の回転軸と自らの回転軸を交差させ、前記砥石と自らを各々回転させながら面接触させて、ツルーイング・ドレッシングするための中空円筒形状のカップ型ドレッサであって、前記砥石の砥粒と同径もしくは前記砥石の砥粒よりも小径であり、前記砥石の砥粒よりも破砕性が高く、前記砥石の砥粒より低硬度で、前記砥石の結合剤よりも硬い砥粒を、前記砥石の砥粒保持力よりも弱い保持力で結合したことを特徴とする。
【００１０】
また、本発明の請求項２記載のカップ型ドレッサは、上記請求項１記載のカップ型ドレッサにおいて、前記カップ型ドレッサの結合剤と前記砥石の結合剤とで、結合力の異なる結合剤を用いること、結合剤率を異ならせること、結合剤の破砕性を異ならせることの少なくとも一つの手段により、前記カップ型ドレッサの砥粒保持力を前記砥石の砥粒保持力よりも弱い保持力としたことを特徴とする。
【００１１】
また、本発明の請求項３記載のツルーイング・ドレッシング方法は、上記請求項１又は上記請求項２記載のカップ型ドレッサを用いた砥石のツルーイング・ドレッシング方法であって、前記砥石と前記カップ型ドレッサとを回転させながら面接触させ、前記砥石の砥粒を前記カップ型ドレッサの砥粒で摩耗させることで前記砥石を球面形状に成形し、前記砥石と前記カップ型ドレッサと接触界面にて、前記砥石との接触負荷によって前記カップ型ドレッサの砥粒を脱落させ、脱落した砥粒により前記砥石の結合剤を除去することを特徴とする。
【発明の効果】
【００１２】
上記のように構成した請求項１記載のカップ型ドレッサ及び請求項３記載のツルーイング・ドレッシング方法では、砥石をドレッシングすると、カップ型ドレッサを構成している砥粒の保持力が砥石の砥粒保持力よりも弱いため、砥石との接触負荷によって、カップ型ドレッサの砥粒が脱落してくる。そして、この脱落した砥粒は砥石の砥粒と同径もしくは砥粒よりも小径であり砥石の結合剤よりも硬いため、砥石表面の砥粒間に入り込んで砥石の結合剤を表面から選択的に除去する。この結果、砥粒を結合剤の表面より突き出させることができ、砥石のドレッシングが行われる。しかも、カップ型ドレッサの砥粒は砥石の砥粒よりも低硬度であるから、砥石の砥粒に切除や破砕などの損傷を与ることがなく、磨耗による微細な除去が行われ、常にシャープな状態が保たれる。
また、砥粒の周囲の結合剤の除去が過度に進行するとその砥粒はやがて脱落し、より内部にある新しい砥粒が表面に露出することになる。砥石とカップ型ドレッサは二面の擦り合せ状態なので、砥石とカップ型ドレッサとは互いに凸と凹の球面に斬近するように磨耗が進行し、ツルーイングとドレッシングとが同時に行われることになる。このため、高精度の球面にツルーイングが行われると共に、ツルーイングとドレッシングとを別々に行う必要がない。
また、本発明では、カップ型ドレッサを構成している砥粒をドレッシングの際の遊離砥粒として利用している。従って、従来のように、スラリを供給するためのスラリ供給系をわざわざ設ける必要がない。
さらに、本発明では、ドレッシングの際の遊離砥粒としてカップ型ドレッサと砥石の接触界面から発生してくる砥粒を利用しているため、カップ型ドレッサと砥石との間に良好に遊離砥粒として利用する砥粒を供給することができ、ドレッシング性能を向上させることができる。
【００１３】
また、本発明の請求項２記載のカップ型ドレッサでは、前記カップ型ドレッサの結合剤と砥石の結合剤とで、結合力の異なる結合剤を用いること、結合剤率を異ならせること、結合剤の破砕性を異ならせることの少なくとも一つの手段により、前記カップ型ドレッサの砥粒保持力を前記砥石の砥粒保持力よりも弱い保持力としたので、カップ型ドレッサの砥粒を砥石の砥粒保持力よりも確実に弱い結合力で結合することができる。
【図面の簡単な説明】
【００１４】
【図１】本発明の実施形態における研削装置及びその制御部の全体構成図である。
【図２】本発明の実施形態における研削装置の側面図である。
【図３】本発明の実施形態におけるツルーイング・ドレッシング方法を説明する説明図である。
【図４】本発明の実施形態におけるツルーイング・ドレッシング原理図である。
【図５】従来における研削装置の側面図である。
【図６】従来におけるツルーイング方法を説明する説明図である。
【図７】従来におけるドレッシング方法を説明する説明図である。
【発明を実施するための形態】
【００１５】
以下、本発明のカップ型ドレッサ及びツルーイング・ドレッシング方法を具体化した実施形態について図面を参照しつつ説明する。
＜実施形態＞
本発明の実施形態を図面に基づいて説明する。図１は本実施形態の研削装置１及びその制御部の全体構成図、図２はその側面図である。図１及び図２において、２はベッド、３はベッド２上に固定されたワーク用案内台であり、このワーク用案内台３上には、ワーク用スライドテーブル４がＸ軸方向（トラバース送り方向）に移動可能に設置されている。
【００１６】
ワーク用スライドテーブル４は、ワーク用案内台３に設置されたサーボモータ５及びこのサーボモータ５により回転される送りねじ６とによってＸ軸方向に送り制御される。ワーク用スライドテーブル４上には、ワーク支持台７が固定され、このワーク支持台７の前面には真空チャック８が設けられ、この真空チャック８によってワークＷが保持されるようになっている。
【００１７】
また、ワーク用スライドテーブル４上には、ワーク支持台７に対してＸ軸方向に離間して成形装置９が並列的に固定されている。成形装置本体１０には、成形軸スピンドル１１がＸ軸と直角なＺ軸軸線回りに回転可能に支承されており、この成形軸スピンドル１１は電動モータ１２によって回転駆動される。
【００１８】
成形軸スピンドル１１先端には、ツルーイングおよびドレッシング用のカップ型ドレッサ１３が交換可能に保持される。カップ型ドレッサ１３は、図３に示すように、中央にボルト穴１４が形成された円柱状の基部１５に中空円筒状のドレッサ部１７が形成される。なお、このドレッサ部１７の回転軸線方向の厚み、半径方向の厚みをできるだけ大きくとることが、カップ型ドレッサ１３の寿命を向上させる上では好ましい。
そして、ボルト１８によって、カップ型ドレッサ１３が成形軸スピンドル１１に交換可能に装着される。
【００１９】
そして、カップ型ドレッサ１３の回転軸心と砥石２２の回転軸心を交差するように位置決めすることで、カップ型ドレッサ１３の回転軸心上に砥石中心を一致させる。次に、カップ型ドレッサ１３の開口端内周の円周縁２１を後述する砥石２２の加工面（外周面）３４に面接触させ、カップ型ドレッサ１３に切込み負荷を与えた状態で、カップ型ドレッサ１３及び砥石２２を回転させることによってツルーイングおよびドレッシングを行う。予め球面に成形された砥石２２に対して、カップ型ドレッサ１３が擦り合わされ、砥石２２の球面に倣って凹球面となり両者が面接触状態となるものである。なお、カップ型ドレッサ１３の開口端内周縁２１の形状としては、予め砥石２２の球形状の半径と同径の凹球面としておいてもよいし、単にテーパ形状としておいてもよい。この場合、凹球面にするよりも容易に成形することができる点で有利である。このカップ型ドレッサ１３の開口端内周縁２１は、当初はテーパ形状であっても最終的には砥石２２に倣って凹球面となるため、初期の形状はツルーイングおよびドレッシング作用には影響を及ぼさない。
【００２０】
図１、図２において、２３はワーク用案内台３の右方向においてベッド２上に固定された砥石用案内台であり、この砥石用案内台２３上には、砥石スライドテーブル２４がＸ軸と直角なＺ軸方向（切込み送り方向）に移動可能に設置されている。砥石用スライドテーブル２４は、砥石用案内台２３に設置したサーボモータ２５及びこのサーボモータ２５により回転される送りねじ２６とによってＺ軸方向に送り制御される。
【００２１】
砥石用スライドテーブル２４上にはコラム２７が鉛直に設置されており、このコラム２７のワークＷと対向する側面には砥石ヘッド２８が鉛直なＹ軸方向（ピッチフィード送り方向）に移動可能に設置されている。砥石ヘッド２８は、コラム２７上に設置されたサーボモータ２９及びサーボモータ２９により回転される送りねじ（図示せず）とによってＹ軸方向に送り制御される。
【００２２】
砥石ヘッド２８には、外周面が球面状の砥石２２がカップ型ドレッサ１３の回転軸線と直交する鉛直軸線回りに回転可能に軸支され、この砥石２２は電動モータ３０によって回転駆動される。なお、図１、図２において、３１は砥石ヘッド２８にワイヤ等を介して連結されたカウンタバランスである。
【００２３】
次に、砥石２２およびカップ型ドレッサ１３の材質について説明する。
ワークとしてガラスレンズやその金型の場合には光学面としてナノメートルオーダーの厳しい表面粗さが要求されるため、砥石２２として、微粒のダイヤモンド砥粒（粒度♯４０００：粒径５μｍ）を結合剤としてレジンボンドで結合したレジンボンドダイヤモンド砥石を用いている。砥石２２は、加工面３４が半径Ｒ（３０ｍｍ）の球面に成形される。
カップ型ドレッサ１３としては、砥石２２の砥粒よりも小径で、砥石２２の砥粒よりも破砕性が高く、砥石２２の砥粒よりも低硬度であるＧＣ砥粒（♯８０００：粒径２〜３μｍ）を用いている。なお、粒径としては砥石２２の砥粒と同程度でもよいが、脱落した際に砥石２２の砥粒間に入り込むことができることが必要である。そして、このＧＣ砥粒は砥石２２の結合剤であるレジンボンドよりも硬い。なお、カップ型ドレッサ１３の結合剤としてもレジンボンドを用いている。カップ型ドレッサ１３の外径は６０ｍｍ、内径は２０ｍｍである。なお、砥粒としてはＧＣ砥粒に限らず、ＷＡ等の他の一般砥粒でも上述の条件を満たすものであれば採用可能である。
【００２４】
ここで、カップ型ドレッサ１３と砥石２２とでは、共にレジンボンドを用いているが、その砥粒保持力を異ならせている。すなわち、カップ型ドレッサ１３の砥粒保持力を砥石２２の砥粒保持力よりも弱いものとしている。本実施の形態では、カップ型ドレッサ１３と砥石２２とで共にレジンボンドを用いているが、レジンボンドの結合剤率を異ならせることにより両者の砥粒保持力を異ならせている。なお、砥粒保持力を異ならせる他の手段として、カップ型ドレッサ１３と砥石２２とで結合剤自体の結合力が異なるものを用いることができる。例えば、例えば、レジンボンドにバブル（気泡）や雲母やタルク（石膏）を混ぜ込むことによって結合力を低下させたものをカップ型ドレッサ１３の結合剤３８として用いてもよい。また、レジンボンドにかえて、レジンボンドよりも結合力の弱いゴムボンドやウレタンボンドをカップ型ドレッサ１３の結合剤３８として用いてもよい。さらに、砥石２２にレジンボンドを用い、カップ型ドレッサ１３にはビトリファイドボンドを用いて、ビトリファイドボンドの破砕性の高さにより、両者の砥粒保持力が異なるようにすることも可能である。
【００２５】
次に上記のように構成された本実施形態の動作について説明する。
ワークＷを加工する場合は、加工プログラムにしたがい数値制御装置を動作させて、ワーク用スライドテーブル４をＸ軸方向へ、砥石用スライドテーブル２４をＺ軸方向へ同時２軸制御することによって、砥石２２によってワークＷを加工する。なお、ワークＷ加工時の砥石２２の回転速度は、例えば１００００ｍｉｎ−１である。
【００２６】
ツルーイング兼ドレッシング工程では、カップ型ドレッサ１３および砥石２２を回転駆動した状態で（例えば、ドレッサ１３の回転速度：１００ｍｉｎ−１、砥石２２の回転速度：１０００ｍｉｎ−１）、砥石用スライドテーブル２４を切込み送りすることによって、図３（ａ）、（ｂ）、（ｃ）に示すように、カップ型ドレッサ１３の開口端内周の円周縁２１が砥石２２の加工面３４に面接触で密着させ、砥石用スライドテーブル２４によってカップ型ドレッサ１３と砥石２２との間に切込み負荷を与えることによってツルーイング兼ドレッシングを行う。
【００２７】
次にツルーイング兼ドレッシング時のメカニズムについて説明する。
カップ型ドレッサ１３の砥粒保持力を砥石２２の砥粒保持力よりも弱くしてあるので、図４に示すように、砥石２２との接触負荷によって、カップ型ドレッサ１３の砥粒３７が脱落してくる。そして、この脱落した砥粒３７は砥石２２の砥粒３２よりも小径であり砥石２２の結合剤（レジンボンド）３３よりも硬いため、砥石表面の砥粒３２間に入り込んで砥石２２の結合剤３３を表面から除去する。このとき、カップ型ドレッサ１３のＧＣ砥粒等の一般砥粒は砥石２２のダイヤモンド砥粒を傷つけることなく、ボンドだけを選択的に除去する。この結果、砥粒３２を結合剤３３の表面より突き出すことができ、砥石２２のドレッシングが行われる。
つまり、本発明では、カップ型ドレッサ１３を構成している砥粒３７をドレッシングの際の遊離砥粒として利用している。従って、従来のように、スラリを供給するためのスラリ供給系をわざわざ設ける必要がなく、装置構造を簡略化することができる。
【００２８】
また、本発明では、ドレッシングの際の遊離砥粒としてカップ型ドレッサ１３と砥石２２の接触界面から発生してくる砥粒３７を利用しているため、カップ型ドレッサ１３と砥石２２との間に良好に遊離砥粒として利用する砥粒３７を供給することができ、ドレッシング性能を向上させることができる。
このとき、砥粒の回りの結合剤の除去が進行するとその砥粒はやがて脱落し、より内部にある新しい砥粒が表面に露出することになりドレッシングが行われる。砥石２２とカップ型ドレッサ１３は二面の擦り合せ状態なので、砥石２２とカップ型ドレッサ１３とは互いに凸と凹の球面に斬近するように磨耗が進行し、砥石２２は球面に成形されツルーイングが行われる。これにより、ツルーイングとドレッシングとが同時に行われることになる。
【００２９】
以上本発明の実施形態について説明したが、本発明はこうした実施形態に何等限定されるものではなく、本発明の要旨を逸脱しない範囲において、種々なる態様で実施し得ることは勿論である。
例えば、ワーク支持台７に、特開２００１−２６００２３号公報に記載されているようなワークＷを回転駆動するワーク軸スピンドルを設けてもよい。この場合には、ワーク軸スピンドルを成形軸スピンドル１１としても利用することが可能であり、ワーク軸スピンドルにカップ型ドレッサ１３を取り付けて、ツルーイング・ドレッシングを行うことができる。なお、この場合、ワークＷを取り外すことなく行うことが好ましい。
【符号の説明】
【００３０】
１３：カップ型ドレッサ、２２：砥石、３２：ダイヤモンド砥粒、３３：結合剤、３４：加工面、３７：ＷＡ砥粒、３８：結合剤、３９：微細紛
【図１】
0005589427.tif 000002
【図２】
0005589427.tif 000003
【図３】
0005589427.tif 000004
【図４】
0005589427.tif 000005
【図５】
0005589427.tif 000006
【図６】
0005589427.tif 000007
【図７】
0005589427.tif 000008